(57)【特許請求の範囲】
【請求項１】
舞台の奥壁などから延在される給電ケーブルを介して音響反射板を構成する反射板に装備した自走用の駆動源に電力を供給し、これにより上記舞台上に設置された上記反射板をレールに沿って自走させる給電構造において、上記反射板に設けたケーブルリールに上記給電ケーブルを巻装させ、舞台の上端面より下方において当該上端面より低い位置に桁材と、レールと、ケーブルガイドとをそれぞれ配置し、更に、上記レールを上記桁材上に載置させると共に上記ケーブルガイドを上記レールの隣に対向させながら当該桁材に担持させ、上記給電ケーブルを上記ケーブルガイドの端部近傍に配在したシーブを介して導きながら上記ケーブルガイド内に収装して上記駆動源に接続したことを特徴とする給電構造
【発明の詳細な説明】
【０００１】
【発明の属する技術分野】
この発明は、給電構造に関し、特に、自走型に設定されている音響反射板における給電構造の改良に関する。
【０００２】
【従来の技術】
劇場の舞台上などに設置される音響反射板としては、従来から種々の提案があるが、たとえば、図４に示す音響反射板にあっては、使用中に舞台Ｓ上の客席側Ｇに設置されている各反射板ａ，ｂ，ｃが使用後には舞台Ｓ上の奥壁Ｓ１側に移動されて収納状態におかれるとしている。
【０００３】
このとき、各反射板ａ，ｂ，ｃは、それぞれがいわゆる門形に形成されていながら大中小となる大きさに設定されていて、奥壁Ｓ１側での収納時には、最も大きい反射板ａの内側に中間の大きさとなる反射板ｂが収容され、この中間の大きさとなる反射板ｂの内側に最も小さい反射板１が収容されるとしている。
【０００４】
また、各反射板ａ，ｂ，ｃは、図示しないが、それぞれが駆動源としての電動モーターなどを有していて、この電動モーターで駆動輪を駆動して、それぞれが舞台Ｓ上などに敷設されているレール上を走行する自走型に設定されている。
【０００５】
それゆえ、この音響反射板によれば、舞台Ｓ上で行われる演奏や演劇などで発せられる音を客席側Ｇに効果的に響かせることが可能になると共に、不使用時には、舞台Ｓ上の奥壁Ｓ１側に移動させて舞台Ｓを他の用途に供することが可能になる。
【０００６】
【発明が解決しようとする課題】
しかしながら、上記した音響反射板にあっては、各反射板ａ，ｂ，ｃへの給電構造において、以下のような不具合があると指摘される可能性がある。
【０００７】
すなわち、上記した各反射板ａ，ｂ，ｃには、それぞれが有する電動モーターなどへの給電のために給電ケーブル１それぞれが連結されるが、この各給電ケーブル１を図示するところに代えて、たとえば、舞台Ｓ上に這わせるようにする提案がある。
【０００８】
この舞台Ｓ上に各給電ケーブル１を這わせる提案の場合には、給電ケーブル１に対するメンテナンスが容易になる点で有利となるが、反面、音響反射板の言わば裏側で作業したり裏側を通行したりする者にとっては足元の邪魔物になる不具合がある。
【０００９】
そこで、図４中に示すように、奥壁Ｓ１と前壁Ｓ２との間に展張したワイヤーＷに吊り輪（符示せず）を利用するなどして、各反射板ａ，ｂ，ｃに連結される各給電ケーブル１を吊持するとの提案をなし得る。
【００１０】
それゆえ、この言わば舞台Ｓの上方に各給電ケーブル１を吊持する提案によれば、給電ケーブル１が前記したように舞台Ｓ上で邪魔物扱いされることにはならない点で有利となるが、その反面、図示するように、舞台Ｓの上方にワイヤーＷが常時展張されているから、このワイヤーＷが上方からのバトン類の下降を妨げることになる不具合がある。
【００１１】
この発明は、上記した事情を鑑みて創案されたものであって、その目的とするところは、自走型に設定の音響反射板を構成する反射板への連結のために延在される給電ケーブルが音響反射板の裏側で作業者などの邪魔にならず、また、バトン類の下降を妨げずして、その汎用性の向上を期待するのに最適となる給電構造を提供することである。
【００１２】
【課題を解決するための手段】
上記した目的を達成するために、本発明の手段は、舞台の奥壁などから延在される給電ケーブルを介して音響反射板を構成する反射板に装備した自走用の駆動源に電力を供給し、これにより上記舞台上に設置された上記反射板をレールに沿って自走させる給電構造において、上記反射板に設けたケーブルリールに上記給電ケーブルを巻装させ、舞台の上端面より下方において当該上端面より低い位置に桁材と、レールと、ケーブルガイドとをそれぞれ配置し、更に、上記レールを上記桁材上に載置させると共に上記ケーブルガイドを上記レールの隣に対向させながら当該桁材に担持させ、上記給電ケーブルを上記ケーブルガイドの端部近傍に配在したシーブを介して導きながら上記ケーブルガイド内に収装して上記駆動源に接続したことを特徴とするものである。
【００１４】
それゆえ、給電ケーブルが舞台の上端面より下方に位置決められたケーブルガイド内に収装されるので、舞台の奥壁などから延在される給電ケーブルが音響反射板の裏側で作業者などの邪魔にならず、また、バトン類の下降を妨げないことになる。
【００１５】
以下本発明の実施の形態を図１乃至図３に基づいて説明する。本発明の給電構造も図４で説明した従来の給電構造と同じく、舞台S上に設置される音響反射板に対して具現化したものである。
即ち、本発明の給電構造は、従来と同じく、舞台Sの奥壁S1などから延在される給電ケーブル１を介して音響反射板を構成する反射板a、ｂに装備した自走用の駆動源２に電力を供給し、これにより上記舞台S上に設置された上記反射板a、ｂをレール６に沿って自走させる給電構造である。
そして、本発明では、上記反射板a、ｂに設けたケーブルリール３に上記給電ケーブル１を巻装させ、舞台Sの上端面より下方において当該上端面より低い位置に桁材７と、レール６と、ケーブルガイド４とをそれぞれ配置している。更に、上記レール６を上記桁材７上に載置させると共に上記ケーブルガイド４を上記レール６の隣に対向させながら当該桁材７に担持させ、上記給電ケーブル１を上記ケーブルガイド４の端部近傍に配在したシーブ５を介して導きながら上記ケーブルガイド４内に収装して上記駆動源２に接続している。
【００１６】
それゆえ、以下の説明において、その構成が前記した音響反射板および従来の給電構造と同様となるところには、図中に同一の符号を付するのみとして、要する場合を除き、その詳しい説明を省略して、以下には、この発明において特徴となるところを中心に説明する。
【００１７】
ちなみに、図１に示すところでは、音響反射板を構成する反射板ｃ（図４参照）の図示を省略すると共に、反射板ａにのみ駆動源２，ケーブルリール３およびその他の構成を図示して、反射板ｂに一切図示しないが、反射板ｂにあっても同様に駆動源２，ケーブルリール３およびその他の構成を有しているとする。
【００１８】
また、図示するところでは、音響反射板を構成する各反射板ａ，ｂが前記した従来の場合と同様に門形に形成されているとするが、この発明の意図するところからすれば、図示しないが、凡そ給電で自走する構造に形成されている限りにおいて、その他の自由な態様に形成されていても良い。
【００１９】
ところで、この発明による給電構造にあっても、図１に示すように、舞台Ｓの奥壁Ｓ１（図４参照）などから延在される給電ケーブル１を介して音響反射板を構成する各反射板ａ，ｂに装備の自走用の駆動源２に電力を供給するように構成されている。
【００２０】
そして、給電ケーブル１の一端は、各反射板ａ，ｂに配設されて上記の駆動源２に電気的に接続されるケーブルリール３に電気的接続状態下に巻装されてなるとしている。
【００２１】
このとき、給電ケーブル１の他端は、奥壁Ｓ１に設けられている端子部（図示せず）などに接続されているが、この端子部などの配設位置については、前記した図４に示す従来の場合に、その構成上から、端子部などが奥壁Ｓ１の上方部に設けられるであろうことに対して、図示するところでは、その構成上から、端子部などが奥壁Ｓ１の下方部に設けられるであろうことから、給電ケーブル１を端子部などに接続したり接続部などから離脱させたりする作業やその他のメンテナンス作業が容易になる点で有利となる。
【００２２】
一方、この給電ケーブル１の中間部は、図２および図３にも示すように、舞台Ｓの上端面より下方に位置決められたケーブルガイド４内に収装されてなるとしている。
【００２３】
そして、ケーブルガイド４から外れて上方のケーブルリール３に至る給電ケーブル１の中間部は、ケーブルガイド４の端部近傍に配在されたシーブ５によって方向変換されている（図１参照）。
【００２４】
ところで、ケーブルガイド４は、図示するところでは、舞台Ｓの上端面より下方に位置決められた反射板走行用のレール６に沿いながらこのレール６を載置させる桁材７に担持されてなるとしている。
【００２５】
また、このケーブルガイド４は、図示するところでは、断面を凹状にする一本の溝状に形成されてなるとしているが、このケーブルガイド４が機能するところを勘案すると、これに代えて、図示しないが、上端が二股状になる棒状支持体を適宜の間隔で、すなわち、給電ケーブル１がいたずらに撓まない間隔に多数本整列するとしても良く、この場合には、音響反射板が移動する長さが区々となる場合にも、棒状支持体の本数を選択することで足りることになる点で有利となる。
【００２６】
ちなみに、反射板走行用のレール６は、図示するところでは、鉄道におけるレールと同様に構成されてなるとしているが、各反射板ａ，ｂに連繋された車輪８の転動を許容する限りには、その他の自由な構成のものが選択されて良い。
【００２７】
また、このレール６を載置させる桁材７にあっても、図示するところでは、Ｈ型鋼からなるとしているが、レール５におけるいたずらな曲りを招来させない限りにおいて、その他の自由な構成のものが選択されて良い。
【００２８】
それゆえ、以上のように形成された給電構造によれば、各反射板ａ，ｂをレール６上で移動させるときにケーブルリール３を同期回転させることで、ケーブルリール３から延びる給電ケーブル１をケーブルガイド４内に収装させ、また、ケーブルガイド４から外れる給電ケーブル１をケーブルリール３に巻き取らせることが可能になる。
【００２９】
その結果、給電ケーブル１が音響反射板の裏側に延在される事態が招来されずして、給電ケーブル１が音響反射板の裏側で作業したり音響反射板の裏側を通行したりする者の邪魔物にならなくなる。
【００３０】
また、給電ケーブル１を吊持するワイヤーＷ（図４参照）などを舞台Ｓの上方に展張しなくて済み、ワイヤーＷなどの展張によるバトン類の下降の妨げを危惧しなく済むことになる。
【００３１】
【発明の効果】
以上のように、この発明によれば、給電ケーブルが舞台の上端面より下方となるケーブルガイド内に収装されるから、給電ケーブルを音響反射板の裏側に延在させる事態を招来させず、したがって、給電ケーブルが音響反射板の裏側で作業したり音響反射板の裏側を通行したりする者の邪魔にならなくなる。
【００３２】
また、給電ケーブルを吊持するワイヤーなどを舞台の上方に展張しなくて済むので、ワイヤーなどの展張でバトン類の下降が妨げられることを危惧しなく済むことになる。
【００３３】
そして、舞台に形成された奥行き方向の溝内に反射板走行用のレールを有する場合には、その溝がケーブルガイドを配在させるのに充分な空間を有しているのが普通であるから、この発明の具現化にあって、舞台にケーブルガイドを配在させるために別に溝などを形成しなくても済むことになる利点がある。
【００３４】
その結果、この発明によれば、自走型に設定の音響反射板を構成する反射板へのケーブルの連結を可能にするのはもちろんのこと、その汎用性の向上を期待するのに最適となる。
【図面の簡単な説明】
【図１】この発明の一実施形態による給電構造を部分的に示す概略側面図である。
【図２】給電構造の一部分を拡大して示す部分縦断面図である。
【図３】給電構造の他の一部分を図２と同様に示す図である。
【図４】従来の音響反射板における給電構造を示す概略側面図である。
【符号の説明】
１  給電ケーブル
２  駆動源
３  ケーブルリール
４  ケーブルガイド
５  シーブ
６  レール
７  桁材
８  車輪
Ｇ  客席側
Ｓ  舞台
Ｓ１  奥壁
Ｓ２  前壁
ａ，ｄ，ｃ  反射板
【図１】
0003753238.tif 000002
【図２】
0003753238.tif 000003
【図３】
0003753238.tif 000004
【図４】
0003753238.tif 000005